(57)【要約】【目的】画面サイズの小さいインスタントフイルムを不都合なく収納する。【構成】フイルムパック１０は、複数のフイルムユニット１３を収納するケース本体１５と、ケース本体１５の背面を覆う背面蓋１６とから構成される。背面蓋１６には、排出方向に長い押上用開口１６ａ，１６ｂが設けられている。カメラの押上部材は、押上用開口１６ａ，１６ｂから挿入され、フイルムユニット押圧板１４を介して最後列のフイルムユニット１３を、排出方向に沿った上方の現像液ポッド部１３ａの一部から下方のトラップ部１３ｃの一部にわたる範囲を直線的に押す。【選択図】        図１
2004157167.tif 000002
【特許請求の範囲】
【請求項１】
複数枚のインスタントフイルムユニットが重ねて収納されるとともに前記最前列のインスタントフイルムユニットの露光面を露呈させる露光開口とその露光開口を形成した面に対峙する面に設けられカメラに装填したときに前記カメラに設けた押上げ部材が挿入される押上用開口と前記露光開口を形成した面に対して直交する面に設けられインスタントフイルムユニットを外部に排出するための排出口とが形成されたケースと、
前記押上用開口をケース内から塞いで遮光するとともに、前記押上げ部材の挿入により最後列のインスタントフイルムユニットを露光開口に向けて押圧するフイルムユニット押圧板とを備えたインスタントフイルムパックにおいて、
前記カメラの押上部材が入り込んだときに、フイルムユニットの排出方向に沿った上・下端を一緒に押すことができるように、前記押上用開口をフイルムユニットの排出方向に沿って長く形成したことを特徴とするインスタントフイルムパック。
【請求項２】
複数枚のインスタントフイルムユニットが重ねて収納されるとともに前記最前列のインスタントフイルムユニットの露光面を露呈させる露光開口とその露光開口を形成した面に対峙する面に設けられカメラに装填したときに前記カメラに設けた押上げ部材が挿入される押上用開口と前記露光開口を形成した面に対して直交する面に設けられインスタントフイルムユニットを外部に排出するための排出口とが形成されたケースと、
前記押上用開口をケース内から塞いで遮光するとともに、前記押上げ部材の挿入により最後列のインスタントフイルムユニットを露光開口に向けて押圧するフイルムユニット押圧板とを備えたインスタントフイルムパックにおいて、
前記フイルムユニット押圧板を紙製でシート状に作り、前記フイルムユニット押圧板の前記フイルムユニットの排出方向に沿う上端の一部に前記排出口の間口よりも突出するように折り曲げたフラップを設けたことを特徴とするインスタントフイルムパック。
【発明の詳細な説明】
【０００１】
【発明の属する技術分野】
本発明は、自己現像処理型のインスタントフイルムユニットを収納するインスタントフイルムパックに関するものである。
【０００２】
【従来の技術】
インスタントカメラを用いることで撮ったその場で写真ができて直ぐに楽しめるなどのメリットがあるインスタントフイルムユニットが知られている。インスタントフイルムユニットには、撮影・現像後引き剥がして使うピールアパートタイプフィルムと、何もしなくてもよいモノシートフィルムとの２種類がある。これらインスタントフイルムユニットは、複数枚ひとまとめにしてケースに収納した形態で提供されている。
【０００３】
ケースは、ケース本体と背面蓋とで構成されており、これらは例えばポリスチレン等の遮光性を付与したプラスチック材料で形成されている。このようなケースには、複数のフイルムユニットとともにその最前列のフイルムユニットの前にフイルムカバーが、また最後列のフイルムユニットの後ろにフイルムユニット押圧板をそれぞれ重ねた形態で収納される。ケース本体には、インスタントフイルムの露光面を露呈させる露光開口と、露光済みのインスタントフイルムを排出するスリット形状の排出口とが設けられている。背面蓋には、カメラに装填したときにカメラ側の押上部材が入り込む押上用開口が形成されている。
【０００４】
フイルムカバーは露光開口を遮光するものであり、カメラに装填後直ちに排出される。フイルムユニット押圧板は、背面蓋に設けた押上用開口を遮光するとともに、その押上部材の押上をフイルムユニットに伝達する。このようなフイルムパックは、インスタントカメラやプリンタ等に用いられ、これらの機器に設けられた装填室にケースごと装填される。
【０００５】
モノシートタイプのインスタントフイルムは、感光シート、受像シート、現像処理液を内包した現像液ポッド部、余剰の現像処理液を吸収するトラップ部が形成されており、現像液ポッド部とトラップ部とがインスタントフイルムの両端に配置された構造となっている。このインスタントフイルムでは、感光シートに露光を行うことで光化学的に潜像を形成させ、その後、感光シートとカバーシートとの間に現像処理液を展開することによって受像シートにポジ像を転写している。
【０００６】
しかし、このインスタントフイルムの場合、排出方向の上下端に現像液ポッドとトラップ部が配置されているために上下端が肉厚になり、露光領域が配置されている中央部に比べ上下端が肉厚となる。しかも、複数枚重ねていくとこの傾向はさらに顕著となる。また、露光画面のサイズを大きくするほど現像液の量と回収する量とが多く必要になるため、現像液ポッド部とトラップ部との厚みが厚くなり、よってその傾向がさらに強まる。その結果、ケースにインスタントフイルムを積層して収納した場合、中央部には余剰な空間が生じてしまい、待機中のインスタントフイルムによる感光面の落ち込みが発生し、ピントのずれた被写体像が露光されるという問題があった。
【０００７】
この対策として、フイルムパック内部の両端に円弧状リブを設け、円弧状リブにインスタントフイルムを沿わせたり（特許文献１）、フイルムパックの裏蓋に複数の樹脂製の遮光シートを接合して、フイルムパックの装填時に、カメラ側に設けられた押し上げ部材によりフイルムユニットの排出方向の上下を幅方向（排出方向に対して直交方向）に沿って押すことで遮光シートを弾性屈曲させてインスタントフイルムを露光開口側に付勢している（特許文献２）。また、裏蓋及びフイルムユニット押圧板を湾曲形状に形成して対応したものも提案されている（特許文献３）。
【０００８】
前述した各公報記載の発明は、最後列のフイルムユニットを、排出方向における断面が中央部ほど露光開口に近づくように湾曲させて最前列のフイルムユニットに向けて押し付けることで、最前列のフイルムユニットの露光面の平面性を高めるようにしている。そして、従来のフイルムユニットは、露光画面のサイズが、例えば縦６２．１×横４６ｍｍという比較的大きなサイズとなっている。
【０００９】
近年、アミューズメント市場では、プリントクラブやプリントゴッコ（共に商品名）などの簡単に合成プリントが得られるプリンタが知られている。これらプリンタでプリントする画像は、小さな画像（サムネイル画像）となっており、いつも携帯することができる、例えばＢ７サイズの手帳やアルバムに簡単に収納することができ、人気を博している。そこで、露光画面のサイズを小さくしたフイルムユニットを提供することが望まれている。
【００１０】
【特許文献１】
特開２０００−８９３５２号公報
【特許文献２】
特開２０００−８９３５１号公報
【特許文献３】
特開２００１−３４３６９９号公報
【００１１】
【発明が解決しようとする課題】
しかしながら、露光画面を小さくすると、おのずとフイルムユニットのサイズも小さくなる。このように小さいサイズの薄いフイルムユニットをケースに収納する場合、従来のように、最後列のフイルムユニットを、排出方向において中央部が露光開口に向けて凸となる湾曲状に押すと、最後列のフイルムユニットの排出方向での曲率が従来に比べて大きくなり、よって最後の枚数に近づくにつれてフイルムユニットに湾曲した癖が付き易くなり、現像液ポッド部とトラップ部との押し付けが弱くなってしまう。このようになると、クロー部材の引っかけが空振りとなる掻き出し不良やフイルムユニットの先端が排出口に引っかかる排出不良などの不都合が発生するおそれがある。
【００１２】
また、最近、資源採取から製造・物流・使用・廃棄リサイクルまでの、全ライフサイクルを通じた製品の環境データをＬＣＡ  （ライフサイクルアセスメント）  の手  法で求め、製品の定量的な環境情報を多面的に開示する新しいタイプの環境ラベル「エコリーフ  （ＥＣＯ・ＬＥＡＦ）  」を表示する運用が始まっている。このような運用を考慮すると、なるべく、プラスチック材料を使わず、環境に優しい材料を使う対策が必要となっていた。
【００１３】
また、特許文献３に記載のフイルムユニット押圧板（リアカバー３７）は、裏蓋に固定していないため、最後のフイルムユニットが排出された後に不用意な操作でシャッタレリーズがなされると、排出口を通って外部に排出されてしまうおそれがある。
【００１４】
本発明は、上記問題点を解決するためのもので、第１の目的としては、サイズの小さいフイルムユニットを確実に排出することができるフイルムパックを提供することにある。また第２の目的としては、環境保全にも優れた材料を用い、かつフイルムユニット押圧板が簡単に排出されないようにすることにある。
【００１５】
【課題を解決するための手段】
上記問題点を解決するために、本発明のフイルムパックは、排出方向に長い押上用開口をケースに設けている。カメラの押上部材も排出方向に長い形状とする。カメラにフイルムパックを装填することでその押上部材が押上開口に入り込んでフイルムユニット押圧板を介して最後列のフイルムユニットの排出方向に沿った上下端が一緒に押される。
【００１６】
押す範囲としては、少なくとも露光開口から露呈する露光面のうちの排出方向に沿う長さを含む範囲とするのが望ましく、また、フイルムユニットの排出方向に沿った上端の現像液ポッド部の一部から下端のトラップ部の一部にわたる範囲を直線的に押すのが最も効果的である。カメラの押上部材は、押上用開口を設けた面から、フイルムカバーの厚みと収納されるフイルムユニットの厚みとを加えた長さ分だけ露光開口に向けて突出する。これにより、最後のフイルムユニットまで上方から下方までの排出方向に沿った長さの範囲を効果的に押すことができる。押上開口としては１個でもよい。１個の場合には、排出方向に対して直交する幅方向も長くして開口を大きなほぼ矩形状に形成するのが望ましい。なお、押上用開口をフイルムユニットの幅方向に沿う左右に一対設けてもよい。
【００１７】
フイルムユニット押圧板としては、環境保全を考慮すると、紙製でシート状に作るのが好適である。さらに、フイルムユニット押圧板の排出方向に反った上端の一部を排出口の間口よりも突出するように折り曲げてフラップを形成する。このようにすることで、フラップが排出口に引っかかるため、フイルムユニット押圧板が排出されることはない。
【００１８】
【発明の実施の形態】
本発明のフイルムパックの構造を示す図１において、フイルムパック１０は、ケース１１、フイルムカバー１２、フイルムユニット１３、及びフイルムユニット押圧板１４とから構成されている。ケース１１は、複数枚のフイルムユニット１３が重ねて収納されるケース本体１５と、その裏面を覆う背面蓋１６とからなる。
【００１９】
ケース本体１５は、遮光性を有する色の材料で形成されており、前面には、フイルムユニット１３へ露光させるための露光開口１７が形成されている。露光開口１７には、４辺のうちの下辺の左寄りとケース本体１５の下面との間に架けてカメラに設けた周知のクロー部材が入り込む切欠１８が設けられている。また、ケース本体１５の上面には、露光済のフイルムユニット１３を排出するためのスリット状の排出口１９が形成されている。この排出口１９からは、フイルムユニット１３やフイルムカバー１２が一枚ずつ排出される。
【００２０】
排出口１９は、軟質の遮光シール２８で外部から塞がれている。遮光シール２８は、フイルムカバー１２及びフイルムユニット１３の排出を邪魔することないように、排出口１９の長辺側の一縁だけが貼り付けられている。フイルムカバー１２は、露光開口１７に最初にセットされるフイルムユニット１３の上に重ねられており、露光開口１７を塞いでいる。
【００２１】
フイルムユニット１３は、厚みの薄いシート状となっており、排出方向の上から現像液ポッド部１３ａ、露光部１３ｂ、及びトラップ部１３ｃとが順に設けられた自己現像処理型のフイルムである。露光部１３ｂは、カバーシート、露光面１３ｄとなる感光層、白色の拡散反射層、及びバック面１３ｅとなる受像層とから構成されている。現像液ポッド部１３ａには、現像処理液が封入されている。感光層とカバーシートとの間に現像処理液が展開されると、感光層に記録された潜像が拡散反射層を通してポジ像として受像層に転写される。受像層に転写された像は、バック面１３ｅからポジ像として観察される。トラップ部１３ｃは、感光層とカバーシートとの間に展開して余った現像処理液を捕捉して硬化させる。露光部１３ｂの厚みは、現像液ポッド部１３ａ及びトラップ部１３ｃよりも薄くなっている。このフイルムユニット１３は、最後まで１枚のシートとして取り扱うことができるモノシートタイプとなっている。
【００２２】
背面蓋１６も遮光性を有する材料で形成されている。その背面蓋１６には、カメラに設けた押上げ部材が入り込む押上用の開口１６ａ，１６ｂが一対設けられている。開口１６ａ，１６ｂは、露光開口１７に対峙する面１６ｃにフイルムユニット１３の排出方向に沿って長くなっており、フイルムユニット１３の幅方向（排出方向に対して直交方向）に沿う左右に一対設けられている。なお、開口１６ａ，１６ｂを繋げて大きな開口としてもよい。
【００２３】
フイルムユニット押圧板１４は、繊維を黒色で染めた遮光性を有する紙製でシート状に形成されており、最も後に重ねた（最後列の）フイルムユニットの後に重ねてケース１１に収納されることで、内側から一対の開口１６ａ，１６ｂを塞ぐとともに、カメラへの装填後は押上部材の押圧をフイルムユニットに伝達する。
【００２４】
フイルムカバー１２は、繊維を黒色で染めた遮光性を有する紙製の材料でフイルムユニット１３の最大厚みよりも薄厚のシート状に形成されており、最も前に重ねた（最前列の）フイルムユニット１３の前に重ねてケース１１に収納されることで露光開口１７を塞ぐとともに、カメラへの装填後に直ぐにカメラに設けたクロー部材の掻き出し動作によって排出口１９から排出される。
【００２５】
フイルムカバー１２は、排出方向の先端に、遮光性を有する軟質の材料で形成された先端遮光フラップ１２ａが取り付けられている。この先端遮光フラップ１２ａは、排出方向の先端が背面蓋１６の方向にＬ字状に折り曲げられ、折り曲がった部分で排出口１９の一部を中から塞ぐことで遮光を確実にすると共に、落下等の衝撃によってフイルムカバー１２やフイルムユニット１３が排出口１９から飛び出してしまうのを防止する。また、フイルムカバー１２の後端部には、クロー部材が入り込む切欠１８をケース本体１５の中から塞ぐために、遮光性を有する軟質の材料で形成されたスカート１２ｂが取り付けられている。
【００２６】
図２に示すように、フイルムユニット押圧板１４には、上端に一対のフラップ１４ａ，１４ｂが設けられている。フラップ１４ａ，１４ｂは、フイルムユニット押圧板１４が排出口１９から排出されないようにするために、上端から幅方向の中央に向けてＬ字状に切り込み１４ｃ，１４ｄを入れ、切り込み１４ｃ，１４ｄによって折り曲げ自在になった矩形の範囲を後方に向けて形成した形態となっている。フラップ１４ａ，１４ｂは、平面から視て逆ハの字状になっている。
【００２７】
また、フイルムユニット押圧板１４の左下角部には、テーパ状に切り欠いた切り欠き部１４ｅが形成されている。この切り欠き部１４ｅは、フイルムユニット押圧板１４が最前列にきたときにクロー部材が引っ掛からないようにするためのものである。
【００２８】
図３に示すように、フイルムカバー１２には、一対のディンプル部１２ｄ、１２ｅ、及びリブ１２ｆ，１２ｇが型押し成型によって背面方向（背面蓋１６の方向）に突出して設けられている。各ディンプル部１２ｄ、１２ｅは、露光開口１７から露呈されない領域でかつ排出方向の先端の両端にそれぞれ半球状の凸部となっている。これらディンプル部１２ｄ，１２ｅは、フイルムカバー１２の厚みも含めてフイルムユニット１３と同じ厚みとなる突出量となっている。このようにすることで、フイルムカバー１２を排出するときに次層にあるフイルムユニット１３を一緒に連れ出す不都合を防止することができる。
【００２９】
リブ１２ｆ，１２ｇは、排出方向に沿って細幅帯状に伸ばして形成されている。フイルムカバー１２の平面強度を補強しており、厚み方向に変形したときに露光開口１７の両端に隙間が生じて隙間から外光が内部に入射するのを防止すると共に、フイルムカバー１２を排出するときに次層にあるフイルムユニット１３を一緒に連れ出す不都合を防止する。
【００３０】
ケース本体１５に設けた切欠１８は、ケース本体１５の底面から前面を通って露光開口１７に跨って形成されており、しかも露光開口１７の幅方向のうちの一方の端に寄って形成されている。これを塞ぐスカート１２ｂは、排出方向に沿って長くした細幅帯状となっている。細幅帯状のスカート１２ｂは、長手方向を切欠１８に対峙するフイルムカバー１２の一端に沿って貼り付けられている。貼り付けは、スカート１２ｂの一端１２ｈがフイルムカバー１２の一端よりも僅かに飛び出すように貼り付けられている。この飛び出したスカート１２ｂの一端１２ｈは、ケース本体１５の一側面内壁に当たって後方に向けて折れ曲がってフイルムカバー１２の他端とケース本体１５の他側面内壁との隙間を塞ぐ作用をなす。
【００３１】
また、フイルムカバー１２の下端１２ｉもフイルムカバー１２の下端から飛び出すように貼り付けられている。このスカート１２ｂの下端には折り曲げ易くするための切り込み１２ｊが形成されており、ケース本体１５に収まったときに切り込み１２ｊから背面蓋１６に向けてＬ字状に折れ曲がって切欠１８を塞ぐ。
【００３２】
フイルムカバー１２の下端には、切欠１８に対峙する部位にディンプル１２ｋが形成されている。このディンプル１２ｋは、クロー部材に引っかかり易いように露光開口１７に向けて半ドーム状に突出して形成されている。クロー部材４０は、露光開口１７の側に配されており、フックの引っかけ先端を背面蓋１６に向けた姿勢で切欠１８から進入して上方に向けて直進的に移動して最前列のものを掻き出す。このとき、ディンプル１２ｋがフイルムカバー１２よりも露光開口１７に向けて突出しているのでクロー部材のフックがディンプル１２ｋに確実に引っかかり、これにより、クロー部材の掻き出し不良を確実に防ぐことができる。
【００３３】
フイルムユニット１３は、図４及び図５に示すように、マスクシート２０、感光シート２１、一対のスペーサ２２，２３、現像液ポッド２４、トラップ材２５、カバーシート２６、及びアンダーシート２７から構成されている。なお、図４及び図５では、フイルムユニット１３を露光面１３ｄ側から見ている。
【００３４】
マスクシート２０は薄いプラスチックでシート状に形成され、開口２０ａが形成されている。開口２０ａの縁は露光範囲を規制するマスクとなる。マスクシート２０の裏面２０ｂには接着剤が塗布されている。開口２０ａを挟んで現像処理液の展開方向（排出方向に対して逆方向）に沿った上下には、折り目２０ｃ，２０ｄに沿って折り返される折り返し部２０ｅ，２０ｆが設けられている。
【００３５】
感光シート２１及びアンダーシート２７は、幅方向（展開方向に対して直交方向）の長さがマスクシート２０と同一に形成されている。感光シート２１は、開口２０ａに対して中心合わせでマスクシート２０の裏面２０ｂに貼着される。アンダーシート２７は、感光シート２１に対して展開方向の下流側に隙間無く貼り付けられる。
【００３６】
感光シート２１の裏面のうちの展開方向に対して直交方向に沿う両側縁には、スペーサ２２，２３が接着され、スペーサ２２，２３上にカバーシート２６の両側縁が接着される。このスペーサ２２，２３により、感光シート２１とカバーシート２６との間が一定の間隙に確保され、現像処理液がこの間に均等に展開される。
【００３７】
現像液ポッド２４は、略袋状に形成されており、その内部には現像処理液が封入されている。この現像液ポッド２４はアンダーシート２７と感光シート２１とを跨ぐように接着され、マスクシート２０の一方の折り返し部２０ｆで包まれる。アンダーシート２７は、現像液ポッド２４を受けて現像液ポッド２４に設けた現像処理液用の吐出口が感光シート２１とカバーシート２６との間に位置するように高さ調節するものであり、これにより現像処理液が感光シート２１とカバーシート２６との間に流れ込みやくなる。現像液ポッド２４がカメラの展開ローラで裂開されると現像液が展開され、感光シート２１のバック面１３ｅにポジ画像が出現する。
【００３８】
トラップ材２５は、感光シート２１に対して展開方向の下流側に接着される。現像処理で余剰となった現像処理液はトラップ材２５により吸収されて捕捉される。このトラップ材２５もマスクシート２０の他方の折り返し部２０ｅで包まれる。
【００３９】
マスクシート２０の折り返し部２０ｅ，２０ｆは、折り目２０ｃ，２０ｄから図５（ｃ）に示した矢印方向に折り返され、折り返し部２０ｅ，２０ｆの先端がカバーシート２６の裏面に接着される。これにより、現像液ポッド２４、トラップ材２５がマスクシート２０によって包み込まれて保持され、現像処理液がフイルムユニット１３の外部に漏れ出さないようになる。
【００４０】
フイルムユニット１３は、トラップ材２５よりも現像液ポッド２４の厚みが厚い。このため、図６に示すように、フイルムパック１０に収納された最後列のフイルムユニット１３は、上方の現像液ポッド部１３ａが下方のトラップ部１３ｃよりも後方に向けて突出するように傾斜した形態となっている。この傾斜に合わせて背面蓋１６のうちの露光開口１７に対峙する面１６ｃは傾斜して形成されており、この面１６ｃに押上部材が入り込む開口１６ａ，１６ｂがそれぞれ形成されている。また、背面蓋１６の面１６ｃには、フイルムユニット押圧板１４のフラップ１４ａ，１４ｂを逃がすための凹部１６ｄが一対形成されている。
【００４１】
カメラの押上部材３０，３１は、図７に示すように、カメラの裏蓋３３の内面に設けられている。裏蓋３３はヒンジにより開閉自在に設けられている。押上部材３０は、図８に示すように、押上部３４、支持部３５、及びバネ３６とで構成されている。押上部３４は、細幅でフイルムユニット１３の排出方向に沿って長い押し当て面３４ａをもっている。支持部３５は、押し当て面３４ａを押し付け方向に向けた姿勢で押上部３４を出入り自在に支持している。バネ３６は、支持部３５に対して押上部３４を押し付け方向に付勢する。これにより押上部３４は、開口１６ａ，１６ｂを設けた面１６ｃの内壁から、フイルムカバー１２の厚みと収納されるフイルムユニット１３の厚みとフイルムユニット押圧板１４の厚みとを加えた長さ分だけ露光開口１７に向けて突出する。なお、他方の押上部材３１も同じ構成となっている。
【００４２】
フイルムパック１０をカメラの装填室に装填し、裏蓋３３を閉じると、押上部材３０，３１の押上部３４が開口１６ａ，１６ｂのそれぞれ入り込み、押し当て面３４ａがフイルムユニット押圧板１４を露光開口１７に向けて押す。このとき、押し当て面３４ａは、露光開口１７から露呈する露光面１３ｄのうちの排出方向に沿う長さを含む範囲、すなわち、フイルムユニット１３の排出方向の上方の現像液ポッド部１３ａの一部から下方のトラップ部１３ｃの一部にわたる範囲を押す。これにより、最前列のフイルムユニット１３の露光面１３ｄの平面性及び露光開口１７に対しての密着性が高められる。
【００４３】
フイルムパック１０をカメラのフイルム装填室に装填した後、撮影準備のためにシャッタレリーズを行うと、クロー部材５０が切欠１８に入り込み、クロー部材５０の引っかけ部５０ａがディンプル１２ｋに引っかかりフイルムカバー１２が排出口１９に向けて確実に排出される。このときに、排出方向の先端左右に設けたディンプル部１２ｄ、１２ｅによりフイルムカバー１２がフイルムユニット１３と同じ厚みとなっているから、次層のフイルムユニット１３が一緒に連れ出されることはない。
【００４４】
フイルムパック１０から排出されたフイルムカバー１２は、図示していない展開ローラ対を通ってカメラの外部に排出される。これにより、次のフイルムユニット１３が露光開口１７にセットされて撮影の準備が完了する。
【００４５】
フイルムカバー１２の排出後には、露光開口１７に最前列のフイルムユニット１３がセットされている。ファインダで撮影範囲を確認してシャッタボタンを押下すると、カメラのシャッタユニットが作動してフイルムユニット１３の露光面１３ｄに露光が行われる。露光完了後、展開ローラ対は、クロー部材５０の掻き出し動作とほぼ同時に回動を開始する。クロー部材５０の掻き出しにより露光済のフイルムユニット１３は、排出口１９から送り出されると展開ローラ対に送られる。
【００４６】
展開ローラ対は、フイルムユニット１３の現像液ポッド２４を裂開し、この現像液ポッド２４から流れ出た現像液を感光シート２１とカバーシート２６との間に展開する。展開ローラ対で現像液が展開されたフイルムユニット１３は、カメラの外部に排出され、一定時間後にバック面１３ｅにポジ画像が形成される。余剰現像処理液はトラップ材２５に捕捉されて硬化する。
【００４７】
以上のようにして撮影を続けると、図９に示すように、ケース１１に収納されているフイルムユニット１３の残り枚数が少なくなる。このとき、カメラの押上部３４がバネ３６の付勢により排出したフイルムユニット１３の厚み分だけ突出してフイルムユニット押圧板１４を押す。これにより、最後のフイルムユニット１３までを均一に押し上げることができ、露光開口１７にセットされるフイルムユニット１３に常に適正な平面性を付与することができる。また、フイルムユニット１３が反っていても排出方向の先端部と後端部とが押されるからフイルムユニットを確実に排出することができる。
【００４８】
最後に残ったフイルムユニット押圧板１４は、図１０に示すように、押上部材３０，３１の押上により二点鎖線の位置から露光開口１７に押し付けられる位置（実線位置）に移動している。このとき、カメラ側で不用意にシャッタレリーズを行うと、クロー部材５０の掻き出しが行われ、フイルムユニット押圧板１４が排出されるおそれがある。しかし、本実施例では、フイルムユニット押圧板１４の左下角部にテーパ状の切り欠き部１４ｅを形成しているから、クロー部材５０が引っ掛かることがない。万が一引っ掛かってもフイルムユニット押圧板１４の排出方向の先端にフラップ１４ａ，１４ｂを設けているからフラップ１４ａ，１４ｂが排出口１９に引っかかり、排出される不都合が生じることはない。
【００４９】
【実施例】
フイルムユニット１３は、サイズが縦４１．５×横３６ｍｍ、マスクシート２０の開口２０ａ（露光画面）のサイズが縦２２．５×横３０ｍｍ、現像液ポッド部１３ａの厚み１．２ｍｍ（最大厚み）、露光部１３ｂの厚み０．３３ｍｍ、トラップ部１３ｃの厚み０．９ｍｍとなっている。ケース１１の寸法は、縦４４×横３８×厚み１６ｍｍとなっている。露光開口１７のサイズは、縦２４．６×横３２ｍｍ（面積７８７．２ｍｍ２  ）となっている。
【００５０】
従来のフイルムユニットは、露光画面のサイズが縦６２．１×横４６ｍｍ（面積２８５６．６ｍｍ２  ）という比較的大きなサイズとなっているのに対し、上記実施例の露光開口１７は縦２４．６×横３２ｍｍの小さなサイズになっている。このように露光画面のサイズに応じてフイルムユニット１３の厚み、特に現像液ポッド部１３ａの厚み及びトラップ部１３ｃの厚みとが決まり、これら現像液ポッド部１３ａの厚み及びトラップ部１３ｃの厚みによりカメラの押上部材の押上方法が円弧状に押し上げるか、平面的に押し上げるかが決まる。
【００５１】
そこで、実験を行った結果、画面サイズの縦横比を３：４とした場合では、画面サイズが１０００ｍｍ２  以下の面積の場合に本発明のように排出方向に長い開口１６ａ，１６ｂをケース１１に設けてカメラの押上部材３０，３１で少なくとも露光開口１７から露呈されるフイルムユニットの範囲を押すのが好適であることが分かった。
【００５２】
また、上記のような寸法のケース１１及びフイルムユニット１３を用いる場合、フイルムカバー１２としては、弾性、剛度、遮光性等を考慮して厚みを０．２〜０．７ｍｍ（坪量１００〜５００ｇ／ｍ２  ）、好ましくは０．３〜０．５ｍｍ（坪量３００〜４００ｇ／ｍ２  ）とするのが望ましい。
【００５３】
さらにフイルムユニット押圧板１４としては、弾性、剛性、遮光性等を考慮して厚みを０．２〜０．７ｍｍ（坪量１００〜５００ｇ／ｍ２  ）、好ましくは０．３〜０．５ｍｍ（坪量３００〜４００ｇ／ｍ２  ）とするのが望ましい。
【００５４】
なお、紙製としては、弾性を必要とするためセルロースが５０％を超える紙樹脂、つまり合成紙とするのが好適である。なお、紙に樹脂コーティングを施して弾性を有するようにしてもよいし、樹脂含浸紙（含浸紙）を用いて形成してもよい。他の材料としては、ＰＰ貼り（ポリプロピレンフィルム貼合紙）油紙・ワックス（蝋）塗布紙などを用いることもできる。
【００５５】
また、ケース本体１５や背面蓋１６、スカート１２ｂ、及び先端遮光フラップ１２ａの材料もフイルムカバー１２及びフイルムユニット押圧板１４と同じ紙製の材料で成形するのが望ましい。なお、ポリスチレンなどの樹脂を用いても良い。
【００５６】
なお、上記実施形態では、露光部１３ｂとポジ像形成面とが異なる透過型のフイルムユニットを例に説明したが、露光部１３ｂとポジ像形成面とが同一面とされた反射型フイルムユニットを収納するフイルムパックにも適用することができる。
【００５７】
また、カメラの押上部材としては、図７で説明したもの以外に、特開２００２−４０５９７号公報に記載されているものを用いても良い。この押上部材は、レバー部材、保持枠、及びバネとで構成されている。レバー部材は、開口１６ａ，１６ｂを通って一端がフイルムユニット押圧板を押圧する。保持枠は、レバー部材の他端側を回動自在に保持し、カメラの裏蓋の内壁面側に固定される。バネは、レバー部材の一端が裏蓋側からフイルムユニット押圧板側へ回動する方向にレバー部材を付勢する。なお、レバー部材及びバネを一対設け、一対のレバー部材をたすき掛け状に交差するように連結して、一対のレバー部材で押し上げるようにしてもよい。
【００５８】
【発明の効果】
以上説明したように、本発明のインスタントフイルムパックでは、排出方向に長い押上用開口をケースに設け、押上開口を通してカメラの押上部材でフイルムユニット押圧板を介して最後列のフイルムユニットの排出方向の上下端を一緒に押すようにしたから、フイルムユニットの排出不良や掻き出し不良を確実に未然に防止することができる。また、フイルムユニット押圧板を紙製でシート状に作って、かつフイルムユニット押圧板の排出方向に反った上端の一部を排出口の間口よりも突出するように折り曲げてフイルムユニット押圧板にフラップを形成したから、フイルムユニット押圧板が排出されることはなく、また、廃棄処分しても環境に安全である。
【図面の簡単な説明】
【図１】本発明のフイルムパックの構成を示す分解斜視図である。
【図２】フイルムユニット押圧板を示す斜視図である。
【図３】フイルムカバーを示す斜視図である。
【図４】フイルムユニットを示す分解斜視図である。
【図５】フイルムユニットの製造を順番に示す斜視図である。
【図６】フイルムパックを示す縦断面図である。
【図７】カメラの押上部材を示す斜視図である。
【図８】フイルムパックをカメラに装填した状態を示すフイルムパックの縦断面図である。
【図９】撮影が進み最後のフイルムユニットが露光開口にセットされた状態を示すフイルムパックの縦断面図である。
【図１０】最後のフイルムユニットが排出され、フイルムユニット押圧板が残った状態を示すフイルムパックの横断面図である。
【符号の説明】
１０  フイルムパック
１１  ケース
１２  フイルムカバー
１３  フイルムユニット
１４  フイルムユニット押圧板
１４ａ，１４ｂ  フラップ
１６  背面蓋
１６ａ，１６ｂ  押上用開口
【図１】
2004157167.tif 000003
【図２】
2004157167.tif 000004
【図３】
2004157167.tif 000005
【図４】
2004157167.tif 000006
【図５】
2004157167.tif 000007
【図６】
2004157167.tif 000008
【図７】
2004157167.tif 000009
【図８】
2004157167.tif 000010
【図９】
2004157167.tif 000011
【図１０】
2004157167.tif 000012